(57)【特許請求の範囲】
【請求項１】
ズームレンズのオートフォーカス（以下、ＡＦと記す）アジャスト量を複数の焦点距離で設定することのできる撮像装置であって、
コントラストＡＦでの焦点位置と位相差ＡＦでの焦点位置とのずれ量を検出し、ＡＦアジャスト量に変換する変換手段と、
第１のズームポジションへのズーム操作を促すように表示装置を介して指示表示する第１の指示表示手段と、
前記第１の指示表示手段による指示表示に対するユーザからの操作完了の通知があると、前記第１の指示表示手段による指示表示通りの操作が行われたか否かに関わらず、現在のズーム位置での焦点距離と共に、前記変換手段により変換されたＡＦアジャスタ量を記憶するよう制御する第１の制御手段と、
前記第１のズームポジション、又は前記第１のズームポジションとは焦点距離が異なる第２のズームポジションへのズーム操作を促すように前記表示装置を介して指示表示する第２の指示表示手段と、
前記第２の指示表示手段による指示表示に対するユーザからの操作完了の通知があると、前記第２の指示表示手段による指示表示通りの操作が行われたか否かに関わらず、現在のズーム位置での焦点距離と共に、前記変換手段により変換されたＡＦアジャスタ量を記憶するよう制御する第２の制御手段とを備えたことを特徴とする撮像装置。
【請求項２】
前記第２の指示表示手段は、前記第２のズームポジションへのズーム操作を促すように指示表示することを特徴とする請求項１に記載の撮像装置。
【請求項３】
前記第１の指示表示手段が前記第１のズームポジションへのズーム操作を促すよう指示表示したことを受けてユーザにより操作されたズーム位置が前記第２のズームポジション寄りの場合、前記第２の指示表示手段は、前記第１のズームポジションへのズーム操作を促すよう指示表示することを特徴とする請求項１に記載の撮像装置。
【請求項４】
前記第１の指示表示手段が前記第１のズームポジションへのズーム操作を促すよう指示表示したことを受けてユーザにより操作されたズーム位置が前記第２のズームポジション寄りの場合、前記第２の指示表示手段は、現時点でのズーム位置が前記第２のズームポジション寄りであることも表示することを特徴とする請求項３に記載の撮像装置。
【請求項５】
前記第１の指示表示手段が前記第１のズームポジションへのズーム操作を促すよう指示表示する前に、現在のズーム位置が前記第１のズームポジションであるかどうかを判定する判定手段を備え、
前記第１の指示表示手段は、前記判定手段で現在のズーム位置が前記第１のズームポジションでないと判定した場合だけ、前記第１のズームポジションへのズーム操作を促すよう指示表示することを特徴とする請求項１乃至４のいずれか１項に記載の撮像装置。
【請求項６】
前記ズームレンズがＡＦ不能な格納状態であるかどうかを判定する格納状態判定手段を備え、
前記第１の指示表示手段は、前記格納状態判定手段で前記ズームレンズがＡＦ不能な格納状態であると判定した場合、前記第１のズームポジションへのズーム操作を促すよう指示表示することを特徴とする請求項１乃至５のいずれか１項に記載の撮像装置。
【請求項７】
ズームレンズのオートフォーカス（以下、ＡＦと記す）アジャスト量を複数の焦点距離で設定することのできる撮像装置の制御方法であって、
前記撮像装置は、コントラストＡＦでの焦点位置と位相差ＡＦでの焦点位置とのずれ量を検出し、ＡＦアジャスト量に変換する変換手段を備えており、
第１のズームポジションへのズーム操作を促すように表示装置を介して指示表示する第１の指示表示ステップと、
前記第１の指示表示ステップによる指示表示に対するユーザからの操作完了の通知があると、前記第１の指示表示ステップによる指示表示通りの操作が行われたか否かに関わらず、現在のズーム位置での焦点距離と共に、前記変換手段により変換されたＡＦアジャスタ量を記憶するよう制御する第１の制御ステップと、
前記第１のズームポジション、又は前記第１のズームポジションとは焦点距離が異なる第２のズームポジションへのズーム操作を促すように前記表示装置を介して指示表示する第２の指示表示ステップと、
前記第２の指示表示ステップによる指示表示に対するユーザからの操作完了の通知があると、前記第２の指示表示ステップによる指示表示通りの操作が行われたか否かに関わらず、現在のズーム位置での焦点距離と共に、前記変換手段により変換されたＡＦアジャスタ量を記憶するよう制御する第２の制御ステップとを行うことを特徴とする撮像装置の制御方法。
【請求項８】
ズームレンズのオートフォーカス（以下、ＡＦと記す）アジャスト量を複数の焦点距離で設定することのできる撮像装置を制御するためのプログラムであって、
前記撮像装置は、コントラストＡＦでの焦点位置と位相差ＡＦでの焦点位置とのずれ量を検出し、ＡＦアジャスト量に変換する変換手段を備えており、
第１のズームポジションへのズーム操作を促すように表示装置を介して指示表示する第１の指示表示処理と、
前記第１の指示表示処理による指示表示に対するユーザからの操作完了の通知があると、前記第１の指示表示処理による指示表示通りの操作が行われたか否かに関わらず、現在のズーム位置での焦点距離と共に、前記変換手段により変換されたＡＦアジャスタ量を記憶するよう制御する第１の制御処理と、
前記第１のズームポジション、又は前記第１のズームポジションとは焦点距離が異なる第２のズームポジションへのズーム操作を促すように前記表示装置を介して指示表示する第２の指示表示処理と、
前記第２の指示表示処理による指示表示に対するユーザからの操作完了の通知があると、前記第２の指示表示処理による指示表示通りの操作が行われたか否かに関わらず、現在のズーム位置での焦点距離と共に、前記変換手段により変換されたＡＦアジャスタ量を記憶するよう制御する第２の制御処理とをコンピュータに実行させるためのプログラム。
【発明の詳細な説明】
【技術分野】
【０００１】
本発明は、ズームレンズのオートフォーカス（以下、ＡＦと記す）アジャスト量を複数の焦点距離で設定することのできる撮像装置、撮像装置の制御方法及びプログラムに関する。
【背景技術】
【０００２】
近年のデジタルカメラでは、ＡＦでのレンズ駆動量に加え、予め設定しておいたピント調節設定に基づき、レンズ駆動量を加減するＡＦアジャスト又はＡＦ微調整という名称の自動焦点調節結果の調節機構が組み込まれるようになってきた。
【０００３】
特許文献１には、ピント調節設定として、ＡＦアジャスト量（ＡＦ微調整値とも称される）を測定する際に、レンズ情報と補正値を表示することについて開示がある。
【先行技術文献】
【特許文献】
【０００４】
【特許文献１】特開２００８−２０３４５４号公報
【発明の概要】
【発明が解決しようとする課題】
【０００５】
上記非特許文献１では、様々なズームレンズが装着される可能性がある一方、このズームレンズは焦点距離が異なると被写界深度や像面移動量等の変化する結果、調節した補正値が適当でないことがあった。
【０００６】
本発明は上記のような点に鑑みてなされたものであり、ＡＦアジャスト量を測定するオートＡＦアジャスト処理を行う場合に、ズーム操作の指示表示を適切に行って、ＡＦアジャスト量をより適切に設定できるようにすることを目的とする。
【課題を解決するための手段】
【０００７】
本発明の撮像装置は、ズームレンズのオートフォーカス（以下、ＡＦと記す）アジャスト量を複数の焦点距離で設定することのできる撮像装置であって、コントラストＡＦでの焦点位置と位相差ＡＦでの焦点位置とのずれ量を検出し、ＡＦアジャスト量に変換する変換手段と、第１のズームポジションへのズーム操作を促すように表示装置を介して指示表示する第１の指示表示手段と、前記第１の指示表示手段による指示表示に対するユーザからの操作完了の通知があると、前記第１の指示表示手段による指示表示通りの操作が行われたか否かに関わらず、現在のズーム位置での焦点距離と共に、前記変換手段により変換されたＡＦアジャスタ量を記憶するよう制御する第１の制御手段と、前記第１のズームポジション、又は前記第１のズームポジションとは焦点距離が異なる第２のズームポジションへのズーム操作を促すように前記表示装置を介して指示表示する第２の指示表示手段と、前記第２の指示表示手段による指示表示に対するユーザからの操作完了の通知があると、前記第２の指示表示手段による指示表示通りの操作が行われたか否かに関わらず、現在のズーム位置での焦点距離と共に、前記変換手段により変換されたＡＦアジャスタ量を記憶するよう制御する第２の制御手段とを備えたことを特徴とする。
【発明の効果】
【０００８】
本発明によれば、ＡＦアジャスト量を測定するオートＡＦアジャスト処理を行う場合に、ズーム操作の指示表示を適切に行って、ＡＦアジャスト量をより適切に設定することができる。
【図面の簡単な説明】
【０００９】
【図１】本発明の実施形態に係るレンズ交換式デジタルカメラを示す図である。
【図２】本発明の実施形態に係るレンズ交換デジタルカメラの構成例を示すブロック図である。
【図３】第１の実施形態に係るデジタルカメラの処理動作を示すフローチャートである。
【図４】第２の実施形態に係るデジタルカメラの処理動作を示すフローチャートである。
【図５】第３の実施形態に係るデジタルカメラの処理動作を示すフローチャートである。
【図６】第４の実施形態に係るデジタルカメラの処理動作を示すフローチャートである。
【図７】第５の実施形態に係るデジタルカメラの処理動作を示すフローチャートである。
【発明を実施するための形態】
【００１０】
以下、添付図面を参照して、本発明の好適な実施形態について説明する。
（第１の実施形態）
図１に、本発明の実施形態に係る撮像装置であるレンズ交換式デジタルカメラを示す。１０１はカメラの背面に設けられた表示装置であるディスプレイである。１０２はＳＥＴボタンであり、ディスプレイ１０１にＧＵＩを表示して利用するときに操作を行うための操作部材である。この操作部材でＧＵＩメニューからオートＡＦアジャスト処理を選択することで、ＡＦアジャスト量の測定機能が起動する。また、後述するフローチャートにて次のステップに進む際の確認操作等でも利用される。
【００１１】
１０３はカメラに内蔵されたマイクロコンピュータであり、デジタルカメラの制御プログラムを実行する。１０４はカメラに内蔵された撮像素子であり、デジタル画像を取得する。１０５はカメラに内蔵された位相差ＡＦ用の位相差検知センサである。１０６はカメラのレンズマウントに取り付けられた交換レンズ（以下、レンズとも称する）であり、ズームレンズを含んで構成される。
【００１２】
図２は、本発明の実施形態に係るレンズ交換デジタルカメラの構成例を示すブロック図である。１００はカメラ本体、１０６は交換レンズである。なお、交換レンズ１０６のレンズ５は通常、複数枚のレンズから構成されるが、ここでは簡略して一枚のレンズのみで示している。
【００１３】
６はレンズ１０６がカメラ本体１００側と通信を行うための通信端子であり、１０はカメラ本体１００がレンズ１０６側と通信を行うための通信端子である。レンズ１０６は、この通信端子６、１０を介してカメラ本体１００のマイクロコンピュータ１０３と通信する。これにより、内部のレンズシステム制御回路４によって絞り駆動回路２を介して絞り１の制御を行い、ＡＦ駆動回路３を介してレンズ５の位置を変位させることで焦点を合わせる。
【００１４】
カメラ本体１００において、１５はＡＥセンサであり、レンズ１０６を通した被写体の輝度を測光する。１２はクイックリターンミラーであり、露光の際にマイクロコンピュータ１０３から指示されて、不図示のアクチュエータによりアップダウンされる。１３はフォーカシングスクリーン、１４はペンタプリズム、１６はファインダである。撮影者は、ペンタプリズム１４とファインダ１６を介して、フォーカシングスクリーン１３を観察することで、レンズ１０６を通して得た被写体の光学像の焦点や構図の確認が可能となる。
【００１５】
１７はフォーカルプレーンシャッタであり、マイクロコンピュータ１０３の制御で撮像素子１０４の露光時間を自由に制御できる。１８は光学フィルタであり、一般的にローパスフィルタ等から構成され、フォーカルプレーンシャッタ１７より入ってくる光の高周波成分をカットして、撮像素子１０４に被写体像を導光する。１９は光学フィルタ１８に接続されている圧電素子である。撮像素子１０４には、一般的にＣＣＤやＣＭＯＳ等の撮像素子が用いられ、レンズ１０６を通して撮像素子１０４上に結像された被写体象を光電変換して電気信号として取り込む。
【００１６】
２１はアンプ回路であり、取り込まれた電気信号に対して、設定されている撮影感度に応じたゲインで撮影信号を増幅する。２２はＡ／Ｄ変換回路であり、撮像素子１０４によって電気信号に変換されたアナログ信号をデジタル信号に変換する。２３は画像処理回路、２４は液晶駆動回路である。画像処理回路２３は、Ａ／Ｄ変換回路２２によってデジタル信号に変換された画像データに対して、フィルタ処理、色変換処理、ガンマー／ニー処理を行い、メモリコントローラ２７に出力する。また、画像処理回路２３は、Ｄ／Ａ変換回路も内蔵しており、Ａ／Ｄ変換回路２２によってデジタル信号に変換された画像データやメモリコントローラ２７により入力される画像データをアナログ信号に変換して液晶駆動回路２４を介して液晶表示部（ディスプレイ）１０１に出力することも可能である。これらの画像処理回路２３による画像処理及び表示処理は、マイクロコンピュータ１０３により切り替えられる。また、マイクロコンピュータ１０３は、撮影画像のカラーバランス情報をもとにホワイトバランス調整を行う。
【００１７】
２６はバッファメモリ、２７はメモリコントローラ、２８はメモリ、２９は外部インタフェースである。メモリコントローラ２７は、画像処理回路２３から入力された未処理の画像データをバッファメモリ２６に格納する。また、画像処理済みの画像データをメモリ２８に格納したり、逆にバッファメモリ２６やメモリ２８から画像データを取り込んで画像処理回路２３に出力したりする。また、メモリコントローラ２７は、ＵＳＢ（Universal Serial Bus）、ＩＥＥＥ（Institute of Electrical and Electronics Engineers）やＨＤＭＩ（High-Definition Multimedia Interface）等の外部インタフェース２９を介して送られてくる画像データをメモリ２８に格納したり、逆にメモリ２８に格納されている画像データを外部インタフェース２９によって外部に出力したりすることも可能である。また、メモリ２８は、着脱可能な様態でもよく、例えばコンパクトフラッシュ（登録商標）を用いることができる。
【００１８】
３２はタイミング制御回路であり、この回路を介してマイクロコンピュータ１０３は、撮像素子１０４の駆動タイミングを制御する。３０はＡＣ電源部、３１は２次電池部、３３は電源種類検知回路、３４は電源状態検知回路、３５は電源制御回路である。電力はＡＣ電源部３０、もしくは２次電池部３１より供給され、マイクロコンピュータ１０３から指示を受けて電源制御回路３５が電源のオン／オフを行う。また、電源制御回路３５は、電源状態検知回路３４により検知された現在の電源状態の情報や電源種類検知回路３３により検知された現在の電源種類情報をマイクロコンピュータ１０３に通知することも行う。
【００１９】
３６はシャッタ制御回路であり、この回路を介してマイクロコンピュータ１０３はフォーカルプレーンシャッタ１７を制御する。３７は光学フィルタ振動制御回路であり、この回路を介してマイクロコンピュータ１０３は光学フィルタ１８に接続されている圧電素子１９を振動させる。振動の振幅、振動時間、振動の軸方向をそれぞれ所定の値で圧電素子を振動させるように、マイクロコンピュータ１０３の指示に従い振動させる。３８は不揮発性メモリ（ＥＥＰＲＯＭ）であり、ユーザが任意に設定したシャッタ速度、絞り値、撮影感度等の設定値やデータをカメラに電源が入れられていない状態でも、保存することができる。
【００２０】
次に、図３を参照して、第１の実施形態に係るデジタルカメラの処理動作を説明する。このフローチャートは、マイクロコンピュータ１０３により処理される制御の流れである。ステップＳ１０１で、オートＡＦアジャスト処理を開始する。ＡＦ可能なレンズ１０６が装着された状態でＧＵＩメニューの操作によりオートＡＦアジャスト処理を実行するメニューを選択することにより、ここからのフローが実行される。
【００２１】
ステップＳ１０２で、マイクロコンピュータ１０３は、指示表示処理として、レンズ１０６のズームを第１のズームポジションであるワイド端へ操作するようディスプレイ１０１に指示表示を行う。ユーザは、この指示表示を受けてワイド端へズーム操作したならば、ＳＥＴボタン１０２を押して操作完了を伝える。これを受けて、マイクロコンピュータ１０３は、次のステップＳ１０３に進む。
【００２２】
ここで、本実施形態では、ワイド端とテレ端で異なるＡＦアジャスト量を設定し、中間の焦点距離では線形補完されたＡＦアジャスト量を利用するという仕組みになっている。ここで、留意したいのは、次の点である。すなわち、ＡＦアジャスト量を測定して設定するオートＡＦアジャスト処理を行う場合、ＡＦアジャスト量の測定の際にズームレンズの焦点距離をワイド端とテレ端にする操作を手動でユーザに行ってもらう。その場合、ユーザに、ワイド端とテレ端へズーム操作するよう指示表示する。その指示表示通りに操作する場合も、間違って操作する場合も、滞りなくオートＡＦアジャスト処理を完了することが求められるのである。
【００２３】
ステップＳ１０３で、マイクロコンピュータ１０３は、焦点距離取得処理として、レンズ１０６のテレ端とワイド端の焦点距離情報と、現在のズーム位置での焦点距離情報とを取得する。レンズ１０６は手動ズームであり、ステップＳ１０２の指示表示にも関わらず、ワイド端になっていないかもしれないため、取得した現在のズーム位置での焦点距離情報を記憶しておく。
【００２４】
ステップＳ１０４で、マイクロコンピュータ１０３は、オートＡＦアジャスト処理の開始の操作が行われるのを待ち、オートＡＦアジャスト処理の開始の操作が行われたならば、第１のＡＦアジャスト量測定処理のためにステップＳ１０５に進む。
【００２５】
ステップＳ１０５で、マイクロコンピュータ１０３は、ＴＶＡＦ（コントラストＡＦとも称される。）による焦点調節処理を行うサブルーチンを呼び出す。ここでは、撮像素子１０４を利用して、撮像素子１０４上で焦点（ピント）が合うようにレンズ駆動が行われる。
【００２６】
ステップＳ１０６で、マイクロコンピュータ１０３は、位相差ＡＦによる焦点検出処理を行うサブルーチンを呼び出す。ここでは、ＴＶＡＦでの焦点位置と位相差ＡＦでの焦点位置とのずれ量を検出する。ＴＶＡＦとのピントのずれを検出するだけなので、レンズ駆動は行わない。
【００２７】
ステップＳ１０７で、マイクロコンピュータ１０３は、ステップＳ１０６において検出した焦点のずれ量をＡＦアジャスト量に変換してディスプレイ１０１に表示する。ユーザがそれを確認してボタンを押すと、次のステップ１０８に進む。
【００２８】
ステップＳ１０８で、マイクロコンピュータ１０３は、指示表示処理として、レンズ１０６のズームを第２のズームポジションであるテレ端へ操作するようディスプレイ１０１に指示表示を行う。ユーザは、この指示表示を受けてテレ端へズーム操作したならば、ＳＥＴボタン１０２を押して操作完了を伝える。これを受けて、マイクロコンピュータ１０３は、次のステップＳ１０９に進む。
【００２９】
ステップＳ１０９で、マイクロコンピュータ１０３は、焦点距離取得処理として、レンズ１０６のテレ端とワイド端の焦点距離情報と、現在のズーム位置での焦点距離情報とを取得する。レンズ１０６は手動ズームであり、ステップＳ１０８の指示表示にも関わらず、テレ端になっていないかもしれないため、取得した現在のズーム位置での焦点距離情報を記憶しておく。
【００３０】
ステップＳ１１０で、マイクロコンピュータ１０３は、オートＡＦアジャスト処理の開始の操作が行われるのを待ち、オートＡＦアジャスト処理の開始の操作が行われたならば、第２のＡＦアジャスト量測定処理のためにステップＳ１１１に進む。
【００３１】
ステップＳ１１１で、マイクロコンピュータ１０３は、ＴＶＡＦによる焦点調節処理を行うサブルーチンを呼び出す。ここでは、撮像素子１０４を利用して、撮像素子１０４上で焦点（ピント）が合うようにレンズ駆動が行われる。
【００３２】
ステップＳ１１２で、マイクロコンピュータ１０３は、位相差ＡＦによる焦点検出処理を行うサブルーチンを呼び出す。ここでは、ＴＶＡＦでの焦点位置と位相差ＡＦでの焦点位置とのずれ量を検出する。ＴＶＡＦとのピントのずれを検出するだけなので、レンズ駆動は行わない。
【００３３】
ステップＳ１１３で、マイクロコンピュータ１０３は、ステップＳ１１２において検出した焦点のずれ量をＡＦアジャスト量に変換してディスプレイ１０１に表示する。ユーザがそれを確認してボタンを押すと、次のステップ１１４に進む。
【００３４】
ステップＳ１１４で、マイクロコンピュータ１０３は、ワイド端でのＡＦアジャスト量及びテレ端でのＡＦアジャスト量の表示を行う。このとき、ＡＦアジャスト量を焦点距離情報と共に記録しているので、焦点距離情報の大きいＡＦアジャスト量をテレ端でのＡＦアジャスト量に、焦点距離情報の小さいＡＦアジャスト量をワイド端でのＡＦアジャスト量にして表示を行う。ズーム位置がズーム端になっておらず中途半端な場合は、焦点距離を示しつつテレ端とワイド端で表示してもよい。或いは、テレ端とワイド端の焦点距離でのＡＦアジャスト量を外挿し計算で求めた値を表示してもよい。これにより、ユーザのズーム操作の順序が間違っていたり、ズーム端に突き当たっていなかったりしても、複数の焦点距離でＡＦアジャスト量を測定して設定することができる。
【００３５】
ステップＳ１０２及びステップＳ１０８で具体的にワイド端やテレ端を示さずズーム操作を指示することも可能だが、そうすると間違える以前の問題として、最初にズームをどう操作すればよいか具体的な指示をすることができなくなる。本実施形態では、最初に使うときにわかりやすく、慣れてきたときにズーム操作の順序を間違えても滞りなく処理が進む、という効果がある。
【００３６】
ステップＳ１１５で、マイクロコンピュータ１０３は、ワイド端の焦点距離とＡＦアジャスト量、テレ端の焦点距離とＡＦアジャスト量を不図示の不揮発性メモリ等の記録手段に保存する。そして、ステップＳ１１６で、オートＡＦアジャストの処理を終了する。
【００３７】
（第２の実施形態）
次に、図４を参照して、第２の実施形態を説明する。なお、レンズ交換式デジタルカメラの構成は第１の実施形態と同様であり、以下では、第１の実施形態との相違点を中心に説明する。
【００３８】
図４において、ステップＳ２０１〜Ｓ２０７の処理は、第１の実施形態のステップＳ１０１〜Ｓ１０７の処理と同様である。ステップＳ２０２ではワイド端へのズーム操作を指示表示したが、ステップＳ２０８では、レンズ１０６について現在のズーム位置での焦点距離がテレ端寄りであるかどうかを判定する。その結果、テレ端寄りでなければ、ステップＳ２０９に進み、マイクロコンピュータ１０３は、レンズ１０６のズームをテレ端へ操作するようディスプレイ１０１に指示表示を行う。それに対して、テレ端寄りであれば、ステップＳ２１０に進み、マイクロコンピュータ１０３は、再度、レンズ１０６のズームをワイド端へ操作するようディスプレイ１０１に指示表示を行う。この場合、ステップＳ２０７でのＡＦアジャスト量は、テレ端寄りの焦点距離におけるＡＦアジャスト量となる。これにより、ワイド端へズーム操作するよう指示表示したにもかかわらずテレ端の近くでＡＦアジャスト量を測定した場合に、ＡＦアジャスト量を測定していないもう一方のズーム端に操作するよう正しく指示表示することが可能となる。なお、ステップＳ２１１〜Ｓ２１８の処理は、第１の実施形態のステップＳ１０９〜Ｓ１１６の処理と同様である。
【００３９】
（第３の実施形態）
次に、図５を参照して、第３の実施形態を説明する。以下では、第２の実施形態との相違点を中心に説明する。
【００４０】
図５において、ステップＳ３０１〜Ｓ３０９、Ｓ３１１〜Ｓ３１８の処理は、第２の実施形態のステップＳ２０１〜Ｓ２０９、ステップＳ２１１〜Ｓ２１８の処理と同様である。第２の実施形態との相違点は、ステップＳ３１０で、マイクロコンピュータ１０３は、現時点でのズーム位置がテレ端寄りであり、レンズ１０６のズームをテレ端からワイド端へ操作するようディスプレイ１０１に指示表示を行うことである。ステップＳ３０２でワイド端へズーム操作するよう指示表示したにもかかわらずステップＳ３０８でテレ端寄りになっているということなので、ユーザがワイド端とテレ端を取り違えている可能性がある。そのため、この時点でのズーム位置がテレ端寄りであり、これから動かせる方がワイド端である、ということを伝えるために表示を工夫したものである。これにより、テレ端とワイド端を間違ったとき、二回目のＡＦアジャスト量の測定前にユーザが実際は操作していないのに「無意識のうちにすでにレンズをテレ端へ操作した」と勘違いするのを防ぐことができる。また、そもそもワイド端とテレ端を取り違えているようなユーザに正しいワイド／テレの関係を伝えることもできる。
【００４１】
（第４の実施形態）
次に、図６を参照して、第４の実施形態を説明する。以下では、第１〜第３の実施形態との相違点を中心に説明する。
【００４２】
ステップＳ４０１でオートＡＦアジャスト処理を開始すると、ステップＳ４０２で、マイクロコンピュータ１０３は、レンズ１０６のテレ端とワイド端の焦点距離情報と、現在のズーム位置での焦点距離情報とを取得する。そして、ステップＳ４０３で、マイクロコンピュータ１０３は、レンズ１０６の現在のズーム位置がワイド端であるかどうかを判定する。その結果、ワイド端であれば、ステップＳ４０５に進み、ワイド端でなければ、ステップＳ４０４に進む。ステップＳ４０４で、マイクロコンピュータ１０３は、レンズ１０６のズームをワイド端へ操作するようディスプレイ１０１に指示表示を出す。これにより、既にワイド端にあるのにワイド端へズーム操作を促すという余計な指示表示を抑制することができる。なお、ステップＳ４０５〜Ｓ４１９の処理は、第３の実施形態のステップＳ３０４〜Ｓ３１８の処理と同様である。
【００４３】
（第５の実施形態）
次に、図７を参照して、第５の実施形態を説明する。以下では、第１〜第４の実施形態との相違点を中心に説明する。
【００４４】
ステップＳ５０１でオートＡＦアジャスト処理を開始すると、ステップＳ５０２で、マイクロコンピュータ１０３は、レンズ１０６のテレ端とワイド端の焦点距離情報と、現在のズーム位置での焦点距離情報とを取得する。そして、ステップＳ５０３で、マイクロコンピュータ１０３は、レンズ１０６が撮影可能状態よりも全長が短くなる、ＡＦ不能な格納状態（沈胴状態）であるかどうかを判定する。その結果、沈胴状態であれば、ステップＳ５０５に進み、マイクロコンピュータ１０３は、レンズ１０６のズームをワイド端へ操作するようディスプレイ１０１に指示表示を出す。それに対して、沈胴状態でなければ、ステップＳ５０４に進み、マイクロコンピュータ１０３は、レンズ１０６の現在のズーム位置がワイド端であるかどうかを判定する。その結果、ワイド端であれば、ステップＳ５０６に進み、ワイド端でなければ、ステップＳ５０５に進む。ステップＳ５０６〜Ｓ５１０の処理は、第４の実施形態のステップＳ４０５〜Ｓ４０９の処理と同様である。
【００４５】
ステップＳ５１１で、マイクロコンピュータ１０３は、レンズ１０６のズームをテレ端へ操作するようディスプレイ１０１に指示表示を出す。ユーザは、この指示表示を受けてテレ端へズーム操作したならば、ＳＥＴボタン１０２を押して操作完了を伝える。これを受けて、マイクロコンピュータ１０３は、ステップＳ５１２に進み、再度、レンズ１０６のテレ端とワイド端の焦点距離情報と、現在のズーム位置での焦点距離情報とを取得する。
【００４６】
一方、ステップＳ５１３で、マイクロコンピュータ１０３は、レンズ１０６のズームをワイド端へ操作するようディスプレイ１０１に指示表示を出す。ユーザは、この指示表示を受けてワイド端へズーム操作したならば、ＳＥＴボタン１０２を押して操作完了を伝える。これを受けて、マイクロコンピュータ１０３は、ステップＳ５１４に進み、再度、レンズ１０６のテレ端とワイド端の焦点距離情報と、現在のズーム位置での焦点距離情報とを取得する。次に、ステップＳ５１５で、マイクロコンピュータ１０３は、レンズ１０６が沈胴状態であるかどうかを判定する。ステップＳ５１３でワイド端へズームを指示表示した結果、ズームリングを回しすぎて沈胴状態になっているかもしれないためである。その結果、沈胴状態であれば、ステップＳ５１３に戻り、マイクロコンピュータ１０３は、レンズ１０６のズームをワイド端へ操作するようディスプレイ１０１に指示表示を出す。それに対して、沈胴状態でなければ、ステップＳ５１６に進む。これにより、ズーム操作による沈胴が可能なズームレンズにおいて、ＡＦアジャスト量の測定が不能な沈胴状態で処理を続けてしまう事態を回避することができる。ステップＳ５１６〜Ｓ５２２の処理は、第４の実施形態のステップＳ４１３〜Ｓ４１９の処理と同様である。
【００４７】
なお、上記実施形態では、本発明でいうズームポジションとしてワイド端及びテレ端を説明したが、必ずしもズーム端である必要はない。また、上記実施形態ではワイド端及びテレ端の２つの焦点距離でＡＦアジャスト量を設定する例を説明したが、３以上の焦点距離でＡＦアジャスト量を設定する形態でもよい。
【００４８】
（その他の実施形態）
また、本発明は、以下の処理を実行することによっても実現される。すなわち、上述した実施形態の機能を実現するソフトウェア（プログラム）を、ネットワーク又は各種記憶媒体を介してシステム或いは装置に供給し、そのシステム或いは装置のコンピュータ（又はＣＰＵやＭＰＵ等）がプログラムを読み出して実行する処理である。
【符号の説明】
【００４９】
１０１：ディスプレイ、１０２：ＳＥＴボタン、１０３：マイクロコンピュータ、１０４：撮像素子、１０５：位相差ＡＦ用の位相差検知センサ、１０６：交換レンズ
【図１】
0005808123.tif 000002
【図２】
0005808123.tif 000003
【図３】
0005808123.tif 000004
【図４】
0005808123.tif 000005
【図５】
0005808123.tif 000006
【図６】
0005808123.tif 000007
【図７】
0005808123.tif 000008